(57)【要約】【課題】方形、長方形などの如く隅角部の形成されるバケツ等の、当該部に付着する塵埃や土砂等を適確且つ能率的に洗い落とす洗浄機に於ける洗浄方法の提供。【解決手段】一対の外周洗浄用ブラシローラの上方に内周洗浄用ブラシローラを並設配設し、バケツ等の外周面と内周面とを同時に洗浄するものとしたバケツ等の洗浄機に於いて、一対の外周洗浄用ブラシローラの対向間隔を挟めたものとなし、且つ両者を外向きの相反する方向へ逆回転させるものとなす。このさい、外周洗浄用ブラシローラ及び内周洗浄用ブラシローラの夫々れに速度差を設けるようにする。【選択図】　　　図７
2004105780.tif 000002
【特許請求の範囲】
【請求項１】
一対の外周洗浄用ブラシローラの上方に内周洗浄用ブラシローラを並設配設し、バケツ等の外周面と内周面とを同時に洗浄するものとしたバケツ等の洗浄機に於いて、一対の外周洗浄用ブラシローラの対向間隔を挟めたものとなし、且つ両者を外向きの相反する方向へ逆回転させるものとなしたことを特徴とするバケツ等の洗浄方法。
【請求項２】
外周洗浄用ブラシローラの回転速度に速度差を設けたことを特徴とする請求項１記載のバケツ等の洗浄方法。
【請求項３】
内周洗浄用ブラシローラの回転を外周洗浄用ブラシローラの回転速度を大ならしめた回転方向と相反する方向へ回転させるものとなしたことを特徴とする請求項２記載のバケツ等の洗浄方法。
【請求項４】
内周洗浄用ブラシローラの回転速度を外周洗浄用ブラシローラの何れのそれより大ならしめたことを特徴とする請求項２又は３記載のバケツ等の洗浄方法。
【請求項５】
速度差は３０％程度の範囲となすことを特徴とする請求項２，３又は４記載のバケツ等の洗浄方法。
【発明の詳細な説明】
【０００１】
【発明の属する技術分野】
本発明は、バケツ等の洗浄機に関する。
【０００２】
【従来の技術】
農作物の収穫、運搬や集荷等に際して多数のバケツを繰り返し使用することがあるが、このような場合、作業終了毎にバケツに付着している土砂等を洗い落とすことが必要となる。
この土砂等の洗い落とし処理は現在のところ、専ら、手作業によっているのが実状である。
【０００３】
【発明が解決しようとする課題】
本発明は斯かる実状に鑑みて、バケツやこれに近似した容器に付着している土砂等の汚れを機械的且つ能率的に洗い落とすものとしたバケツ等の洗浄機を提供することを目的とする。
【０００４】
【特許文献】
特願２０００−３１９５１５号
【０００５】
【課題を解決するための手段】
本発明者は上記目的のために先に特願２０００−３１９５１５号に係るバケツ等の洗浄機を提案したが、本発明は上記装置を一部改良し、或いは該装置の運転制御に特殊な改良提案を図って円筒型バケツに限らず、角型バケツ等の洗浄も容易且つ迅速に行えるようになさしめるものであって、その特徴とするところは先に提案の特願２０００−３１９５１５号「バケツ等の洗浄機」に於ける一対の外周洗浄用ブラシローラの対向間隔を挟めるものとなし、且つ該外周洗浄用ブラシローラを互いに外向きの相反方向へ逆回転させるようになすのである。
【０００６】
このさい、並設させた一対の外周洗浄用ブラシローラの回転速度に一定の範囲で速度差を生じさせたり、そのとき内周洗浄用ブラシローラ回転速度を大ならしめた外周洗浄用ブラシローラの回転方向と相反する方向へ回転させたり、また上記で内周洗浄用ブラシローラの回転速度が外周洗浄用ブラシローラの何れのそれよりも大なるようになさしめるのである。本発明者の数多実験結果によると上記の速度差は凡そ３０％程度の範囲内にすることが作業効率上優れることが判明した。
【０００７】
【発明の実施の形態】
図１は本発明方法で使用する洗浄機の斜視図であり、図２は要部を示す平面図、図３は要部を示す側面図、図４は要部の背面を示す図、図５は動力伝動機構を示す図、図６は被処理物位置保持部材の関連機構を示す図である。
各図に於いて、１は水槽部で、２はこの水槽部１を作業者の腰高さ程度に支持するための脚部、そして３は水槽部１の上面に形成された覆い部３である。
【０００８】
各部について説明すると、水槽部１は前面１ａ、左右側面１ｂ、１ｃ、後面１ｄ及び、前下がり状の底面１ｅからなる方形容器１Ａを主体となし、底面１ｅには方形容器１Ａ内の一定高さ位置に上端開口を有するものとした溢れ出し管４を起立状に設け、この溢れ出し管４の下端開口に延長ホース５を接続したものとなされている。
【０００９】
脚部２は、四本の起立脚部材６ａ、６ｂを有し、これら起立脚部材６ａ、６ｂの上下箇所の相互間を水平結合部材７で結合し、各起立脚部材６ａ、６ｂには延長脚部材８を上下方向の出入り調整可能に内挿すると共に、各延長脚部材８の下端に転向自在輪９を装着したものとなされている。
この際、後側の左右二本の起立脚部材６ｂ、６ｂは前側の起立脚部材６ａ、６ａよりも上方へ長くなされており、また各起立脚部材６ａ、６ｂにはその対応する延長脚部材８の上下移動を規制するための固定ネジ１０が設けてある。
【００１０】
覆い部３は、左右の起立脚部材６ｂ、６ｂ間に後面板１１を固着すると共に、各起立脚部材６ｂの上端に前方へ向かう片持ち部材１２を固着し、これら片持ち部材１２、１２間に水平板１３を固着するほか、各片持ち部材１２には撓曲自在なビニール板等からなる透明な側面板１４を垂れ下がり状に固定したものとなされている。
【００１１】
上記した水槽部１及び覆い部３の内方には、ブラシ洗浄手段１５が形成してある。このブラシ洗浄手段１５は、次のようなものとなされている。
即ち、バケツ等の被処理物ｗの外周面を図７に示すように支持して擦りつつ特定位置で回転するものとした前後向きの二つの外周用ローラ形ブラシ１６ａ、１６ｂと、これら外周用ローラ形ブラシ１６ａ、１６ｂ間の上側に位置されてこれら外周用ローラ形ブラシ１６ａ、１６ｂと同一向きとなされ且つ被処理物ｗの内周面及び、被処理物ｗの内底面の半径全長範囲を擦りつつ特定位置で回転するものとした単数の内周用ローラ形ブラシ１７とを備えてなる。
【００１２】
各外周用ローラ形ブラシ１６ａ、１６ｂは、図２に示すようにブラシ回転軸１８にブラシ胴部材１９を固定し、このブラシ胴部材１９の周面に長さ凡そ３０〜５０ｍｍ程度のブラシ毛２０を植設し、ブラシ毛２０群の先端で形成されたブラシ外周面を前側から後側へ向けて漸次縮経するテーパ面（例えば、テーパ角度は凡そ４度となされる。）となし、外周面の直径を凡そ１２０〜１５０ｍｍ程度になしたものである。
【００１３】
この際、各ブラシ回転軸１８は前端部を方形容器１Ａの前面１ａの左右箇所に固定された軸受部材２１、２１に支承され、後端寄り部位を方形容器１Ａの後面１ｄの左右箇所に固定された軸受部材２２、２２に支承されている。
【００１４】
一方、内周用ローラ形ブラシ１７はブラシ回転軸２３と、これに取り外し可能に固定されるブラシ胴部材２４を有し、この胴部材２４の周面に長さ凡そ３０〜６０ｍｍ程度のブラシ毛２５を植設し、このブラシ毛２５群の先端で形成されたブラシ外周面を直円筒面となし、且つ、ブラシ胴部材２４の前側にこれと同心に配置されるブラシ前側胴部材２６を有し、この部材２６の外表面に先のブラシ毛２５と同じ程度の長さのブラシ毛２７を放射状に植設し、ブラシ毛２５、２７群の先端で形成された外周面の直径を被処理物ｗの内底面直径の半分（例えば凡そ１５０ｍｍ程度）以上の大きさとなされている。
この際、ブラシ毛２５、２７の植立されたブラシ胴部材２４及びブラシ前側胴部材２６からなるブラシ毛部分はネジナット機構を介してブラシ回転軸２３から抜き取り可能となされる。
【００１５】
内周用ローラ形ブラシ１７はそれぞれ外周面の直径の異なる複数のものが形成されており、被処理物ｗの大きさに対応させて適当なものをブラシ回転軸２３に固定させるように使用されるものである。
【００１６】
上記ブラシ回転軸２３の支持構造は、次のようになされているのであって、即ち、左側の起立脚部材６ｂの高さ途中に横向き支持部材２８を固着し、この支持部材２８に後向き支持軸２９を固着し、これを後面板１１に貫通させた状態として後面板１１の後側へ張り出させ、さらに後向き支持軸２９に左右向きアーム部材３０を揺動自在に支持させ、このアーム部材３０の先端にブラシ回転軸２３の後端寄り部位を回転自在に支承するものとした軸受部材３１を固着したものとなされている。
【００１７】
内周用ローラ形ブラシ１７は外周用ローラ形ブラシ１６ａ、１６ｂに対し近接離反操作自在となされており、具体的には、図３及び図４に示すように脚部２の後側の水平結合部材７に前後向き支持片３２を固着し、この支持片３２の先端に揺動部材３３を左右向き軸３４を介して装着し、この揺動部材３３の前端から斜め下方にペダル部材３５を延出させ、一方では方形容器１Ａの後部の左右巾中央に案内管３６を起立状に固着し、この案内管３６に押し棒３７を上下摺動自在に挿通させ、その上端を左右向きアーム部材３０の直下近傍に位置させ、その下端を前記揺動部材３３の後端の凹み部３３ａに係合させ、ペダル部材３５を踏み降ろすことにより、押し棒３７が上昇変位され、この変位により左右向きアーム部材３０をこれに作用する重力に抗して押し上げ、内周用ローラ形ブラシ１７を外周用ローラ形ブラシ１６ａ、１６ｂから上方へ離反させるように作動させ、逆にペダル部材３５から足を離してこれを解放状態にすることにより、各部の重力作用で内周用ローラ形ブラシ１７が降下し、ペダル部材３５が上方へ変位されて初期状態に復するように作動するものとなしてある。後面板１１には長孔３８が形成してあり、この長孔３８はブラシ回転軸２３の上下変位を許容する。
【００１８】
左右向きアーム部材３０の上面には起立板３９が固着してあり、この起立板３９の特定箇所に前向きの給水管４０が内周用ローラ形ブラシ１７の直上近傍に張り出すように固定されている。また給水管４０の位置に対応した後面板１１箇所には長孔４１が形成してあって、内周用ローラ形ブラシ１７の上下変位に伴う給水管４０の変位を許容するものとなしてある。
【００１９】
次にこのブラシ洗浄手段１５の駆動系統について説明すると、次のとおりである。
即ち、水槽部１の下方の脚部２にモータ４２を固定し、図２及び図５に示すようにこのモータ４２の出力軸４２ａにスプロケット４３を固定し、一方、各外周用ローラ形ブラシ１６ａ、１６ｂのブラシ回転軸１８、１８の後端部にもスプロケット４４ａ、４４ｂを固定する。
【００２０】
他方、後向き支持軸２９の後端部へ一体状にスプロケット４７ａ及びスプロケット４７ｂを装着させたものとなしてあり、そしてスプロケット４３，４７ａ，４７ｂに無端状の伝達チェーン４５を巻き掛けるほか、内周用ローラ形ブラシ１７のブラシ回転軸２３の後端部にはスプロケット４８を固定し、且つスプロケット４７ｂとスプロケット４８との間には別に無端状の伝動チェーン５０が巻き掛けてある。
【００２１】
而して、モータ４２が特定方向ｆ１へ回転することで、二つの外周用ローラ形ブラシ１６ａ、１６ｂは夫々れｆ１、或いはｆ２の逆方向へ、そして内周用ローラ形ブラシ１７は外周用ローラ形ブラシの一つ（図示例では１６ａ）と同一の方向ｆ１へ回転駆動される構成となしてある。
【００２２】
次に外周用ローラ形ブラシ１６ａ、１６ｂ及び内周用ローラ形ブラシ１７で位置保持された被処理物ｗの外底面に摺動可能に圧接し、被処理物ｗの中心線方向への移動を規制するものとした位置規制手段５１について説明すると、次のとおりである。
【００２３】
即ち、図２に示すように方形容器１Ａの前面１ａの左右巾中央に左右向き支持板５２を固定してあり、この支持板５２の左右箇所に図６に示すように前後向きの案内管５３、５３を固着させてある。各案内管５３には摺動支持軸５４が前後摺動自在に挿通されてあり、これら二本の摺動支持軸５４、５４の後端に摩擦係数の小さい合成樹脂材からなる被処理物位置保持部材５５が固定してあり、また二本の摺動支持軸５４、５４の前端にはこれら支持軸５４、５４を同体状に結合するための結合部材５６が固定してある。
【００２４】
そして、各摺動支持軸５４の長さ途中部分で、被処理物位置保持部材５５と左右向き支持板５２との間箇所には、圧縮スプリング５７が外挿されており、被処理物位置保持部材５５を左右向き支持板５２から離れる方向へ押圧させてある。結合部材５６の左右長さ中央には摘み部付ボルト５８が螺合してあり、このボルト５８の螺合長さを変更調整することにより被処理物位置保持部材５５が前後へ移動する構成となしてある。
【００２５】
上記構成は特願２０００−３１９５１５号「洗浄装置」の構成と比べ、伝動チェーン４５の掛け方を変えて伝動チェーン４９を省略した点の相違があるものの、他は殆ど変わりがない。
次に上記のように構成した本発明品の使用例及び各部の作動について説明する。
使用に先立って給水管４０の接続口に図７に示すように水道から導いたホースｈを接続し、給水管４０に適当流量で水を供給する。このように供給された水は給水管４０の下部に形成された散水孔から流出し、内周用ローラ形ブラシ１７に降り注がれ、さらに流下して方形容器１Ａ内に到達する。方形容器１Ａ内に達した水は一定高さまで滞留した後、溢れ出し管４から方形容器１Ａ外へ連続的に流出する。
【００２６】
この一方では、モータ４２を回転させるのであり、これにより外周側ローラ形ブラシ１６ａ、１６ｂ及び内周側ローラ形ブラシ１７を凡そ１００〜２５０ｒ．ｐ．ｍ．の範囲で回転させるのであり、その一例を示すと外周側ローラ形ブラシ１０ａを１７５ｒ．ｐ．ｍ．、同１０ｂを１３０ｒ．ｐ．ｍ．、内周側ローラ形ブラシ１７を２２０ｒ．ｐ．ｍ．とするのである。
【００２７】
この状態の下で、バケツ等の被処理物ｗをブラシ洗浄手段１５箇所へ供給するのであり、この供給に際しては、足でペダル部材３５を踏み降ろして、内周用ローラ形ブラシ１７を数ｃｍ〜十数ｃｍ程度上昇変位させ、この上昇変位状態を保持して被処理物ｗをこれの底面が手前となるような横倒れ姿勢となした状態に保って覆い部３内に前側から入れ、内周用ローラ形ブラシ１７に被せる。
【００２８】
次に摘み部付ボルト５８を手前に引いて被処理物位置保持部材５５を圧縮スプリング５７の弾力に抗して適当長さだけ引き変位させておき、ペダル部材３５から足を離してこれを解放状態となす。これにより、内周用ローラ形ブラシ１７は重力作用や伝動反力により被処理物ｗと共に降下し、下側に位置している被処理物ｗ周壁部分を二つの外周用ロール形ブラシ１６ａ、１６ｂの上側面に押し付けるものとなる。このとき、被処理物ｗの底面は被処理物位置保持部材５５よりも作業者から見て奥側に位置するため、被処理物位置保持部材５５に干渉することなく降下する。
【００２９】
被処理物ｗが二つの外周用ロール形ブラシ１６ａ、１６ｂの上側面に当接したとき、摘み部付ボルト５８を解放するのであり、これにより被処理物位置保持部材５５は圧縮スプリング５７の弾力で被処理物ｗの存在側へ変位して被処理物ｗの外底面を奥側へ適当に押圧した状態となる。
【００３０】
この状態の下で、二つの外周用ロール形ブラシ１６ａ、１６ｂは被処理物ｗを前後向き略水平に支持すると共にその周壁に圧接したブラシ毛２０でその周壁の外面を擦るほか、ブラシ毛２０を介して被処理物ｗに自身の回転力を伝達する。そして一方では内周用ローラ形ブラシ１７がその周壁内面に圧接したブラシ毛２５でこの周壁内面を擦ると共に、その内底面に圧接したブラシ毛２７でこの内底面を擦りながら且つブラシ毛２５、２７を介して被処理物ｗに自身の回転力を伝達するものとなる。この際、二つの外周用ロール形ブラシ１６ａ、１６ｂの回転方向を外向きの相反する逆方向となし、そのうちの１つ（図示例では１６ａ）を、他のそれより速く回転するように速度差を設けしめるのであり、このことは外周用ロールブラシ１６ｂがブレーキ作用を呈するように被処理物ｗに伝達されるため被処理物ｗが矢印ｋ方向へ強く反転させられるようになるのである。ところで、被処理物ｗの内部に於ける内周用ローラ形ブラシ１７は外周用ロール形ブラシ１６ａと同等若しくはそれ以上の速さで回動させるようにするものでは、上記被処理物ｗの矢印ｋ方向の回動をより強く援助するものとなる。
【００３１】
本発明は上記構成により、図７に示す如き角型バケツ、即ち角型は方形に限ることなく、縦及び横辺に長短差の比較的大なる長方形であっても、図示例の如く円滑に反転させながら洗浄処理を可能にすることのできるものとなる。本発明者の既存する各種形状のバケツを対象とした数多その洗浄結果によれば、上記外周用ロール形ブラシ１６ａ，１６ｂ及び内周用ロール形ブラシ１７の各速度差を凡そ３０％の範囲内で設定して実施することが良好であることが解った。なお、各ブラシの回転速度はバケツ形状や汚れ具合との関連で、効率的な洗浄作用の行える数値を適宜設定するのであり、一般的に１００ｒ．ｐ．ｍ．〜２５０ｒ．ｐ．ｍ．の範囲で行われる。
【００３２】
上記洗浄作業では、外周用ロール形ブラシ１６ａ、１６ｂは容器１Ａ内の水を掻き上げるのであり、一方ブラシ１６ａ、１６ｂは被処理物ｗ周壁の外面に付着した土砂等を連続的に洗い落とすのであり、また内周用ロール形ブラシ１７は給水管４０から水を供給され、当該ブラシ１７に対し相対回転運動しているその周壁内面及び内底面に付着した土砂等を連続的且つ効果的に洗い落とすものとなる。この際、内周用ロール形ブラシ１７の外周面の直径が内底面の隅角部半径と同一かそれよりも大きいため、内周用ロール形ブラシ１７のブラシ毛２７は被処理物ｗの一回転以上の変位により被処理物ｗの内底面の全体を擦るものとなって内底面の隅角部位置に付着した土砂を確実に洗い落とすものとなる。
【００３３】
被処理物ｗが一回転乃至数回転して、これに付着した土砂等が綺麗に洗い落とされると、作業者は摘み部付ボルト５８を手前に引き且つ再びペダル部材３５を踏み降ろして内周用ローラ形ブラシ１７を上昇変位させる。この後、被処理物ｗを持って覆い部３内から手前に引き出すようになすのであり、これにより１つの被処理物ｗの洗浄処理が終了する。以後は未洗浄の各被処理物ｗについて同じ処理が繰り返えされる。
【００３４】
本発明の上記実施では外周用ローラ形ブラシ１６ａ，１６ｂとの外径間隔ｓが可及的に狭くなるように接近させると良く、又内周用ローラ形ブラシ１７が上記ブラシ１６ａ，１６ｂの上方谷間へ可及的に接近するよう配設させるものとすることが好ましい。このことは図７で見られる通り、被処理物ｗが方形バケツの場合に、各ブラシによるその外部及び内部の隅角部イ、ロ、ハを、中央に集束させるようにして摺擦作用が行われることから汚れ落としの無い効率的で迅速な洗浄作用の行われるものとなる。上記内周用ローラ形ブラシ１７に対する必要な加重圧接作用のためには、その回転軸の後方箇所へ適宜重量を調整する如くなした錘り手段Ｇを取付けて行うようにすることができる。（図４参照）
なお、内周用ローラ形ブラシ１７はその外径が隅角部（ハ）の角面と当接する寸法径のものとなすのが好ましいのであり、従ってこのための適応ブラシ交換にはその回転軸２３全体を軸受から取り外したりすることなく、単にブラシのみを適宜他の寸法径のものに交換して使用できるようにする。
【００３５】
【発明の効果】
上記した本発明によれば、バケツ等の被処理物に付着した土砂等を機械的且つ能率的に洗い落とすことができる。具体的には被処理物が円筒のバケツに限らず、方形、長方形その他など凡そ直角な隅角部を備えたものであっても、安定的に位置保持した状態で力強く回転させながら、外周面や内周面及び内底面などに付着した土砂等を確実且つ迅速に洗い落とすことができる点で著効を奏する。
【図面の簡単な説明】
【図１】本発明に係る洗浄機の全体斜視図である。
【図２】前記洗浄機の要部を示す平面図である。
【図３】前記洗浄機の要部を示す側面図である。
【図４】前記洗浄機の要部の背面を示す図である。
【図５】前記洗浄機の動力伝動構造を示す図である。
【図６】被処理物位置保持部材の関連機構を示す図である。
【図７】外周用ローラ形ブラシ及び内周用ローラ形ブラシの配設位置状態を示す図である。
【符号の説明】
ｗ　被処理物
１６ａ　外周用ローラ形ブラシ
１６ｂ　外周用ローラ形ブラシ
１７　内周用ローラ形ブラシ
５５　被処理物位置保持部材
【図１】
2004105780.tif 000003
【図２】
2004105780.tif 000004
【図３】
2004105780.tif 000005
【図４】
2004105780.tif 000006
【図５】
2004105780.tif 000007
【図６】
2004105780.tif 000008
【図７】
2004105780.tif 000009